(57)【要約】【課題】照明による演出効果の向上を図った投光器を提供する。【解決手段】複数の光源ブロック２１〜２６を構成するＬＥＤ基板８上に複数のＬＥＤ７が配置されている。同一の集光特性を有する複数のレンズ部９２が、ＬＥＤ７毎に対向配置されている。制御部４は、同じ光源ブロック２１〜２６に配置されたＬＥＤ７が同じ色になるように制御すると共に、複数の光源ブロック２１〜２６のうち少なくとも２つが異なる色となるように制御する。【選択図】図２
2017152300.tif 000002
【特許請求の範囲】
【請求項１】
投光面上に配置され、複数色に発光可能な複数の光源と、
前記光源毎に設けられ、前記光源からの光を反射又は屈折する集光特性を有する複数の集光部と、
前記複数の光源の点灯を制御する制御部と、を備え、
前記複数の集光部は、互いに同一の集光特性を有し、
前記制御部は、前記投光面を複数のブロックに分割し、前記複数のブロックのうち同じブロックに配置された前記光源が同じ色になるように制御すると共に、前記複数のブロックのうち少なくとも２つが異なる色となるように制御する複数色制御を行うことができる
ことを特徴とする投光器。
【請求項２】
前記集光部により、近距離では前記複数のブロックからの光が分離して照明され、遠距離では前記複数のブロックの色が混じった混色で照明される
ことを特徴とする請求項１に記載の投光器。
【請求項３】
前記制御部は、前記複数色制御と、前記複数のブロックの全部が同じ色となるように制御する単一色制御と、に切り替えることができる
ことを特徴とする請求項１又は２に記載の投光器。
【発明の詳細な説明】
【技術分野】
【０００１】
本発明は、投光器に係り、例えば、ビルや橋梁といった構造物や樹木の演出照明に用いられる投光器に関するものである。
【背景技術】
【０００２】
従来、演出照明用の投光器は、赤色（Ｒ）、緑色（Ｇ）、青色（Ｂ）の３つのＬＥＤチップを搭載したＬＥＤを用いてフルカラー照明を実現していた。また、投光器の照度を高めるために、上記ＬＥＤを複数配置して、それぞれ同じ色になるように制御していた。
【発明の概要】
【発明が解決しようとする課題】
【０００３】
しかしながら、上述した従来の投光器では、単一色のみの照明であり、演出効果に乏しい、という問題があった。
【０００４】
そこで、本発明は、照明による演出効果の向上を図った投光器を提供することを課題とする。
【課題を解決するための手段】
【０００５】
上述した課題を解決するためになされた請求項１記載の発明は、投光面上に配置され、複数色に発光可能な複数の光源と、前記光源毎に設けられ、前記光源からの光を反射又は屈折する集光特性を有する複数の集光部と、前記複数の光源の点灯を制御する制御部と、を備え、前記複数の集光部は、互いに同一の集光特性を有し、前記制御部は、前記投光面を複数のブロックに分割し、前記複数のブロックのうち同じブロックに配置された前記光源が同じ色になるように制御すると共に、前記複数のブロックのうち少なくとも２つが異なる色となるように制御する複数色制御を行うことができることを特徴とする投光器である。
【０００６】
請求項２記載の発明は、前記集光部により、近距離では前記複数のブロックからの光が分離して照明され、遠距離では前記複数のブロックの色が混じった混色で照明されることを特徴とする請求項１に記載の投光器である。
【０００７】
請求項３記載の発明は、前記制御部は、前記複数色制御と、前記複数のブロックの全部が同じ色となるように制御する単一色制御と、に切り替えることができることを特徴とする請求項１又は２に記載の投光器である。
【発明の効果】
【０００８】
以上説明したように請求項１記載の発明によれば、制御部が、投光面を分割した複数のブロックのうち少なくとも２つが異なる色となるように制御すると共に、光源からの光が集光特性を有する集光部により反射又は屈折されるので、少なくとも２つの異なる色が分離して照明されるため、演出効果の向上を図ることができる。
【０００９】
請求項２記載の発明によれば、近距離を照明する場合は２つの異なる色が分離した照明を行うことができ、遠距離を照明する場合は混色による照明を行うことができ、より一層、演出効果の向上を図ることができる。
【００１０】
請求項３記載の発明によれば、複数色照明と、単一色照明と、の両者を切り替えて行うことができる。
【図面の簡単な説明】
【００１１】
【図１】本発明の投光器の部分分解斜視図である。
【図２】図１に示す投光器から透明カバーを取り外した状態の投光器の正面図である。
【図３】図１に示す投光器の電気構成図である。
【図４】図１及び図２に示す光源ブロックの分解斜視図である。
【図５】図４に示すＬＥＤの構成を示す図である。
【図６】図３に示すレンズ基板の側面図である。
【図７】（Ａ）〜（Ｃ）は図６に示すレンズ基板におけるレンズ部の概略図、断面図及びレンズ部を透過する光を説明するための説明図である。
【図８】図１に示す投光器から出射される光源ブロックからの光を説明するための説明図である。
【図９】（Ａ）は図８の平面Ｆ１を示す図であり、（Ｂ）は図８の平面Ｆ２を示す図である。
【発明を実施するための形態】
【００１２】
以下、本発明の投光器について図１〜図９を参照して説明する。図１〜図３に示すように、投光器１は、光源部２と、光源部２に電源を供給する電源部３と、光源部２の点灯を制御する制御部４と、これら光源部２、電源部３及び制御部４などを収容する筐体５と、光源部２の正面を覆う透明カバー６などを備えている。
【００１３】
本実施形態においては、光源部２は、略三角形状に形成された６つの光源ブロック２１〜２６を平面上に環状に並べて、略六角形状に形成されている。複数の光源ブロック２１〜２６は、それぞれ同一の構成を有する。光源ブロック２１〜２６は各々、図４に示すように、複数のＬＥＤ７（光源）が配置されたＬＥＤ基板８と、複数のＬＥＤ７から出射した光が透過する複数のレンズ部９２（集光部）が形成されたレンズ基板９と、放熱シート１０と、が積層されて構成されている。
【００１４】
ＬＥＤ基板８は、略三角形に形成され、複数のＬＥＤ７が三角形の三辺それぞれに沿った格子状に等間隔で配列されている。図２に示すように、隣り合う光源ブロック２１〜２６のＬＥＤ７同士の間隔Ｌ１１は、同一の光源ブロック２１〜２６内に配置されたＬＥＤ７同士の間隔Ｌ１２よりも広い。これにより、隣り合う光源ブロック２１〜２６のＬＥＤ７同士をある程度間隔をあけて離すことができる。
【００１５】
上記ＬＥＤ７は、図５に示すように、本実施形態では表面実装型のＬＥＤで構成されている。ＬＥＤ７は、赤色に発光するＬＥＤチップ７Ｒと、緑色に発光するＬＥＤ７Ｇと、青色に発光するＬＥＤチップ７Ｂと、ＬＥＤチップ７Ｒ、７Ｇ、７Ｂの光を反射するリフレクタ７Ａと、を有するフルカラーＬＥＤであり、複数色に発光可能である。ＬＥＤ７は、これらＬＥＤチップ７Ｒ、７Ｇ、７Ｂを１つの基板上に搭載すると共に、まとめて樹脂封止してパッケージ化している。
【００１６】
なお、本実施形態では、ＬＥＤ７は、赤色、青色、緑色のＬＥＤチップ７Ｒ、７Ｇ、７Ｂを有していたがこれに限ったものではなく、色が調整できるようなものであればよく、白色に発光するＬＥＤチップや、その他の色で発光するＬＥＤチップを有していてもよい。
【００１７】
上述したＬＥＤチップ７Ｒ、７Ｇ、７Ｂは、電源部３に対して並列接続され、制御部４が、各色のＬＥＤチップ７Ｒ、７Ｇ、７Ｂの調光制御を独立して行えるようになっている。調光制御としては、周知のＰＷＭ調光または電流調光により行う。これにより、制御部４は、各ＬＥＤ７の色の調整を行うことができる。本実施例では、制御部４は、同じ光源ブロック２１〜２６に配置されたＬＥＤ７については、同じ色、同じ輝度になるように制御する。
【００１８】
また、異なる光源ブロック２１〜２６内に配置されたＬＥＤ７同士は、電源部３に対して並列接続される。これにより、制御部４は、光源ブロック２１〜２６毎にＬＥＤ７の色、輝度を変えることができる。
【００１９】
制御部４は、例えばＲＯＭ、ＲＡＭ、ＣＰＵなどから構成された周知のマイクロコンピュータから構成されている。即ち、本実施形態では、各光源ブロック２１〜２６を構成するＬＥＤ基板８を並べて形成した略六各形状のＬＥＤ搭載面が投光面に相当し、各ＬＥＤ基板８の略三角形状のＬＥＤ搭載面が分割した各ブロックに相当する。
【００２０】
レンズ基板９は、ＬＥＤ基板８の正面に積層されている。レンズ基板９は、図４及び図６に示すように、基板本体９１と、基板本体９１からＬＥＤ基板８に向かってそれぞれ突出する複数のレンズ部９２と、を有している。基板本体９１は、ＬＥＤ基板８とほぼ同じ大きさ形の略三角形状に形成されている。
【００２１】
複数のレンズ部９２は、ＬＥＤ基板８上に配置されたＬＥＤ７それぞれに対向配置される。複数のレンズ部９２の外側面９２Ａは、図６に示すように、ＬＥＤ７から離れるに従って中心軸ＬＬから離れると共に、その傾斜が急になるような曲面に形成されている。レンズ部９２に入射されたＬＥＤ７からの光のうちこの外側面９２Ａに向かう光Ｌ２１は、この外側面９２Ａで中心軸ＬＬ側に反射される。
【００２２】
また、複数のレンズ部９２には、ＬＥＤ７に向かって凹む有底孔９２Ｂが形成され、有底孔９２Ｂの底面９２ＣはＬＥＤ７の中心軸ＬＬから離れるに従ってＬＥＤ７に近づくと共に、その傾斜が急になるようなドーム状の凸面に設けられている。レンズ部９２に入射されたＬＥＤ７からの光のうちこの底面９２Ｃに入射される光Ｌ２２は、この底面９２Ｃで中心軸ＬＬ側に屈折される。ただし、底面９２Ｃの頂部に入射される光Ｌ２３は、屈折することなくそのまま出射される。
【００２３】
レンズ部９２に入射されたＬＥＤ７からの光のうち、外側面９２Ａにも底面９２Ｃにも向かわない光Ｌ２４はそのままレンズ部９２を透過する。上述したレンズ部９２の外側面９２Ａでの反射や底面９２Ｃでの屈折により、ＬＥＤ７の指向角を狭くすることができる。上述した複数のレンズ部９２は、全て同じ形状、同じ大きさに設けられていて、同一の集光特性を有する。また、複数のレンズ部９２は、光軸も互いに平行に設けられている。
【００２４】
なお、レンズ部９２の形状としては、図７に示すものに限ったものではなく、集光特性を有するものであればよい。また、本実施形態では、複数のレンズ部９２を基板本体９１から突設させることにより一体に設けていたが、これに限ったものではなく、複数のレンズ部９２を別部材で設けて、ＬＥＤ７に１つずつ取り付けてもよい。
【００２５】
放熱シート１０は、図４に示すように、略三角形状に形成され、ＬＥＤ基板８の背面に積層されている。
【００２６】
次に、上述した構成の投光器１の動作について説明する。まず、図示しない電源スイッチをオンすると、制御部４は、電源部３からの電源供給を受けて起動し、光源ブロック２１〜２６の点灯を制御する。このとき、制御部４は、複数の光源ブロック２１〜２６のうち少なくとも２つが異なる色となるように制御する。例えば、制御部４は、光源ブロック２１及び２６のＬＥＤ７が赤色、光源ブロック２２及び２３のＬＥＤ７が緑色、光源ブロック２４及び２５のＬＥＤ７が青色に点灯するように、制御する。
【００２７】
次に、上述した投光器１の効果について図８〜図１０を参照して説明する。なお、図１〜図７に示す投光器１は、光源ブロック２１〜２６を６つ設けていたが、説明を簡単にするために図８〜図１０では光源ブロック２１〜２３の３つが設けられ、３つの光源ブロック２３〜２３が直線状に並べて配置されている投光器１について説明する。図８は、投光器１から出射される光源ブロック２１〜２３からの光を示す図である。
【００２８】
ＬＥＤ７からの光は、レンズ部９２にて指向角が狭くされて出射される。また、光源ブロック２１〜２３間は、ある程度間隔をあけて配置されている。このため、図８に示すように、近距離の照射範囲Ｒ１では、投光器１の光源ブロック２１〜２３からの光は分離している。光源ブロック２１〜２３がそれぞれ異なる色に制御されていた場合、照射範囲Ｒ１内に中心軸ＬＬに垂直に配置した平面Ｆ１上では、図９（Ａ）に示すように、各光源ブロック２１〜２３からの３色の光がそれぞれ分離して照明される。よって、平面上に立体の被照明物を配置し、投光器１により被照明物を近距離から斜めに照明すると、平面上には被照明物の複数色の影ができたように視認される、所謂、カラーシャドー照明を行うことができる。
【００２９】
これに対して、図８に示すように遠距離の照射範囲Ｒ２では、投光器１の光源ブロック２１〜２３からの光は混合している。光源ブロック２１〜２３がそれぞれ異なる色に制御されていた場合、照射範囲Ｒ２内に中心軸ＬＬに垂直に配置した平面Ｆ２上では、図９（Ａ）に示すように、各光源ブロック２１〜２３からの３色の光がそれぞれ混ざり合って混合色の光が照明される。
【００３０】
ところで、レンズ部９２で指向角を狭くしすぎてしまうと、遠距離では各光源ブロック２１〜２３からの光が混合する前に見えなくなってしまう。逆に指向角が広いと、近距離でも各光源ブロック２１〜２３からの光が分離しない。本実施形態では、上述したように近距離では複数の光源ブロック２１〜２３からの光が分離して照明され、遠距離では複数の光源ブロック２１〜２３の色が混じった混色で照明されるような、集光特性を有するレンズ部９２を用いる。
【００３１】
上述した実施形態によれば、制御部４が、投光面を分割した複数の光源ブロック２１〜２６のうち少なくとも２つが異なる色となるように制御すると共に、ＬＥＤ７からの光がレンズ部９２を透過して出射しているので、少なくとも２つの異なる色が分離して照明される。このため、カラーシャドー照明などを行うことができ、演出効果の向上を図ることができる。
【００３２】
また、上述した実施形態によれば、レンズ部９２により、近距離では複数の光源ブロック２１〜２６からの光が分離して照明され、遠距離では複数の光源ブロック２１〜２６の色が混じった混色で照明される。これにより、近距離を照明する場合は複数色が分離した照明を行うことができ、遠距離を照明する場合は混色による照明を行うことができ、より一層、演出効果の向上を図ることができる。
【００３３】
なお、上述した実施形態では、制御部４は、光源ブロック２１〜２６のうち少なく２つが異なる色となるように制御していたが、これに限ったものではない。例えば、図示しない切替スイッチの切り替え操作に応じて、制御部４が、光源ブロック２１〜２６のうち少なく２つが異なる色となるように制御する複数色制御と、複数の光源ブロック２１〜２６の全部が同じ色となるように制御する単一色制御と、で切り替えができるようにしてもよい。これにより、複数色照明と、単一色照明と、を切り替えることができる。
【００３４】
また、上述した複数色制御において、制御部４が、発光パターンを切り替えることができるようになっていてもよい。例えば、上述した光源ブロック２１及び２６が赤色、光源ブロック２２及び２３が緑色、光源ブロック２４及び２５が青色、の発光パターンと、光源ブロック２１及び２６が緑色、光源ブロック２２及び２３が青色、光源ブロック２４及び２５が赤色、の発光パターンと、を切り替えることができるようになっていてもよい。
【００３５】
また、上述した実施形態では、レンズ部９２により、近距離では複数の光源ブロック２１〜２６からの光が分離して照明され、遠距離では複数の光源ブロック２１〜２６の色が混じった混色で照明されるようにしていたが、これに限ったものではない。本発明においてレンズ部９２は、各光源ブロック２１〜２６からの光が分離して照明できるような集光特性であればよく、遠距離で混合しなくてもよい。
【００３６】
また、上述した実施形態では、光源ブロック２１〜２６はそれぞれ略三角形に設けられ、光源部２としては略六角形に設けられていたが、これに限定されるものではない。これら光源ブロック２１〜２６や光源部の形状はデザインなどにより任意の形状に定められる。
【００３７】
また、上述した実施形態では、光源ブロック２１〜２６を分割して設けていたが、これに限ったものではない。１つのＬＥＤ基板８に搭載された複数のＬＥＤをブロック毎に区切って別々に制御を行うようにしてもよい。
【００３８】
また、上述した実施形態では、集光部としてレンズ部９２を用いていたが、これに限ったものではない。集光部としては、反射鏡を用いてもよい。
【００３９】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４０】
１  投光器
４  制御部
７  ＬＥＤ（光源）
２１〜２６  光源ブロック
９２  レンズ部（集光部）
【図１】
2017152300.tif 000003
【図２】
2017152300.tif 000004
【図３】
2017152300.tif 000005
【図４】
2017152300.tif 000006
【図５】
2017152300.tif 000007
【図６】
2017152300.tif 000008
【図７】
2017152300.tif 000009
【図８】
2017152300.tif 000010
【図９】
2017152300.tif 000011